(57)【要約】      （修正有）【課題】神具類を間違いなく配置できて、しかもコンパクトに保管輸送し得る御祈念セットの提供。【解決手段】三方１と、三方１の隅切り折敷１２に嵌合する位置決め体２とを備え、位置決め体２の中央部と四隅側に神具嵌込部を設け、神具嵌込部を利用して神具類３を配置し得るようにし、神具類３がお神酒Ｌを入れる平瓶４と、水Ｗを入れる水玉５と、塩Ｓや米Ｒを入れるカワラケ６の少なくとも１種以上であり、三方１の台部１１に下向きに開口する台空部を備え、その台空部に神具類３の一部を収めて保管輸送し得るようにし、水収納体と塩収納体と盛り塩用ステックの少なくとも一方を備えている。【選択図】図１
2006109863.tif 000002
【特許請求の範囲】
【請求項１】
三方（１）と、三方（１）の隅切り折敷（１２）に嵌合する位置決め体（２）とを備え、位置決め体（２）の中央部と四隅側に神具嵌込部（２０）を設け、神具嵌込部（２０）を利用して神具類（３）を配置し得るようにしたことを特徴とする御祈念セット。
【請求項２】
水収納体（７）と塩収納体（８）と盛り塩用ステック（９）の少なくとも一方を備えていることを特徴とする請求項１記載の御祈念セット。
【請求項３】
神具類（３）がお神酒（Ｌ）を入れる平瓶（４）と、水（Ｗ）を入れる水玉（５）と、塩（Ｓ）や米（Ｒ）を入れるカワラケ（６）の少なくとも１種以上であり、三方（１）の台部（１１）に下向きに開口する台空部（１０）を備え、その台空部（１０）内に神具類（３）の一部を収めて保管輸送し得るようにしたことを特徴とする請求項１または２記載の御祈念セット。
【発明の詳細な説明】
【技術分野】
【０００１】
本発明は、室内や病室等に用いる神式の御祈念セットに関するものである。
【背景技術】
【０００２】
日本古来の宗教として神道が知られている。神道の代表的なものとして神社と神棚が知られている。神社には神殿（社殿とも言う）と鳥井が立てられ、神棚は一般家庭や商店、会社等の重要な部屋に設けられている。神棚には、鏡を中心にして、お神酒を入れた平瓶、水を入れた水玉、米を入れたカワラケ、盛り塩したカワラケ、榊入れ等を配置する。土木工事や建築工事を始める際に行う地鎮祭も神道の一儀式である。
一方、安産を願ったり病人の回復を願う場合、折り鶴を送ったり、神社で販売しているお守りを送ったりすることがある。
【特許文献１】実用新案登録第３０９６４３０号
【発明の開示】
【発明が解決しようとする課題】
【０００３】
マンションやアパートにあっては、居住空間が狭いので、神棚を備えることが困難であった。また、病室を利用する患者の宗教が一定ではないので、病室に神棚を備えることも困難であった。
そこでこの発明は、従来技術の有するこのような問題点に鑑みてなされたものであり、その目的とするところは、神具類を間違いなく配置できて、しかもコンパクトに保管輸送し得る神式の御祈念セットを提供することにある。
【課題を解決するための手段】
【０００４】
本発明の御祈念セットは、請求項１として、三方と、三方の隅切り折敷に嵌合する位置決め体とを備え、位置決め体は中央部と四隅側に神具嵌込部を設け、この神具嵌込部を利用して神具類を配置し得るようにしたことを特徴とする。
請求項２は、請求項１の御祈念セットにおいて、水収納体と塩収納体と盛り塩用ステックの少なくとも一方を備えていることを特徴とする。
請求項３は、請求項１，２の御祈念セットにおいて、神具類がお神酒を入れる平瓶と、水を入れる水玉と、塩や米を入れるカワラケの少なくとも１種以上であり、三方の台部に下向きに開口する台空部を備え、その台空部内に神具類の一部を収めて保管輸送し得るようにしたことを特徴とする。
【０００５】
ここで三方とは、角筒状の台部と、台部より一回り大きい略四角形の隅切り折敷とから成り、台部の前壁と左右壁に飾り用の象嵌を穿設している。
ここで位置決め体とは、適宜厚さを有する単板式位置決め体と、薄板の両側に脚を相対設する嵩上げ式位置決め体とを言い、神具嵌込部とは、貫通状態に設けるものと、窪み状態に設けるものを言い、中央嵌込部と右側手前嵌込部にカワラケの下部を入れ、左右の奥嵌込部に平瓶の下部を入れ、左側手前嵌込部に水玉の下部を入れるものである。
神具嵌込部の大きさは、平瓶用と水玉用とカワラケ用とは相違するので、誤って配置することは少ないが、神具配置カタログを添付しておくか、神具嵌込部又はその近くに神具名を記しておけば、誤った配置を避けることができる。
ここで平瓶とは、お神酒を入れる容器を言い、水玉とは水を入れる容器を言い、カワラケとは、脚付きの皿を言い、米と盛り塩に用いるものを言う。
ここで水収納体とは、２回分以上の水、望ましくは祈祷水を収容した合成樹脂製の容器を言い、塩収納体とは、２回分以上の塩を収容した合成樹脂製の袋を言い、盛り塩用ステックとは、円錐筒を成すものを言う。
【発明の効果】
【０００６】
本発明の御祈念セットは上記構造のとおりであるから、次に記載する効果を奏する。
請求項１の御祈念セットは、三方の隅切り折敷に位置決め体を嵌合し、該位置決め体の神具嵌込部に神具類の平瓶と水玉とカワラケを配置し得るので、神具類を常に正しく配置できる。しかも展示スペースが小さく、移動・保管が容易なので、居住室内や病室用の簡易神具として扱うことができる。
請求項２の御祈念セットは、請求項１の特徴に加えて、水収納体と塩収納体とを備えておけば、毎日交換するお水や盛り塩を、その都度準備する必要がない。また、盛り塩用ステックを備えておけば、盛り塩を手軽に美しく形成し得る。
請求項３の御祈念セットは、請求項１，２の特徴に加えて、三方台部の空部内に神具類の一部、例えば水玉とカワラケ、平瓶とカワラケを収めることができるので、コンパクトに保管したり輸送し得る。
【発明を実施するための最良の形態】
【０００７】
本発明による御祈念セットの最良形態を図１〜図３に基づき説明すれば、三方１と、三方１の隅切り折敷１２に嵌合する位置決め体２とを備え、位置決め体２として図４−１の如く隅切り折敷１２の嵌合深さＴより肉薄の単板式位置決め体２Ａを用い、該位置決め体２Ａの中央部と四隅側に神具嵌込部２０を貫通状態で備え、神具嵌込部２０を利用して図５〜図７の如く神具類３を配置するもので、例えば右隅側手前嵌込部２１に水Ｗを入れた水玉５を、左隅側手前嵌込部２２に盛り塩Ｓしたカワラケ６を、中央部嵌込部２３に米Ｒを入れたカワラケ６を、左右の奥嵌込部２４，２５にお神酒Ｌを入れた平瓶４を配置するものである。
三方１の台部１１は下向きに開口する空部１０を有し、台部１１を構成する前壁１１ａと左右壁１１ｂ，１１ｃに象眼１３を備えている。
【実施例１】
【０００８】
本発明による御祈念セットの第一実施例を最良形態と相違する点について説明すれば、位置決め体２の神具嵌込部２０の近くに神具名を表示し、神具類３の外に図８の如く盛り塩用ステック９、及び図９−１の如く水収納体７、図９−２の如く塩収納体８をセットに加えている。
水収納体７はペットボトル製で、２〜１０回分の水Ｗを収容し、塩収納体８は合成樹脂袋で２〜１０回分の塩Ｓを収容し、盛り塩用ステック９は漏斗状を成している。
【実施例２】
【０００９】
本発明による御祈念セットの第二実施例を第一形態と相違する点について説明すれば、位置決め体２として図４−２の如く紙や樹脂板から成る嵩上げ式位置決め体２Ｂを用い、嵩上げ式位置決め体２Ｂは天板２ａの少なくとも左右両側に支持脚２ｂ，２ｃを一体に設け、嵌合深さＴより低く形成され、天板２ａに神具嵌込部２０を貫通状態で備えている。
この嵩上げ式位置決め体２Ｂは、合成樹脂にて形成する場合、一体成形し、紙にて形成する場合、天板２ａの左右に支持脚２ｂ，２ｃを設けた展開紙、又は前後左右に支持脚２ｂ，２ｃを設けた展開紙にて形成する。
【００１０】
本発明による御祈念セットは上記構造であるから、これを保管したり輸送する場合、図１０の如く三方１より一回り大きい外箱３０内に、先ず三方１の天地を反転し、隅切り折敷１２を下にして挿入し、その際、隅切り折敷１２内に位置決め体２を収め、次いで台空部１０の内部に、神具類３の一部、例えば水玉包装箱３５と、２個のカワラケ６を収めたカワラケ包装箱３６とを入れ、隙間に緩衝材Ｐを入れて移動しないようにした後、三方台部１１から箱周壁３１までの空間部Ｈに平瓶包装箱３４を入れる。
包装された御祈念セットを用いる場合、外箱３０を開放し、空間部Ｈより平瓶包装箱３４を、台空部１０内より水玉包装箱３５とカワラケ包装箱３６とを取出し, 三方１を取出して上下を正し、隅切り折敷１２内に位置決め体２を嵌挿した後、該位置決め体２の神具嵌込部２０内に神具類３の下部を嵌込み、神具類３の配置を完了する。
【産業上の利用可能性】
【００１１】
三方１の台部１１と隅切り折敷１２とを組立て式にしても同様の目的を達成し得る。
神具類３の平瓶４は、図５の如くお神酒Ｌを入れる容器本体４ａと、容器本体４ａの口部に嵌合する蓋体４ｂから成り、水玉５は図７の如く、水Ｗを入れる容器本体５ａと、容器本体５ａの口部に嵌合する蓋体５ｂから成り、カワラケ６は図６の如く、皿部６ａと脚部６ｂとから成る。
また、平瓶４と水玉５とカワラケ６の配置は実施形態に限定されるものではなく、神具嵌込部２０の大きさと位置を変更し、その配置を変更することも可能であるし、材質として陶磁器性が好ましいが、合成樹脂にて形成すれば、輸送時や取扱い時の損傷が未然に防止し得る。更に、神具類３として中央後方に鏡を展示することも可能であるし、前方の左右に榊入れを展示することも可能である。
【００１２】
御祈念セットの包装は実施例に限定されるものではなく、図１１の如く天地を反転した三方１を外箱３０内に収納する際、一方に片寄せて収納すると、三方台部１１から箱周壁３１までの空間部Ｈに、大空間部ｈ１と小空間部ｈ２とが生じるので、大小空間部ｈ１，ｈ２の差と台空部１０とを利用し、平瓶包装箱３４と水玉包装箱３５とカワラケ包装箱３６とを選択収納することができる。また、水収納体７と塩収納体８と盛り塩用ステック９も収納することが可能である。
更に、神具類３の平瓶４と水玉５とカワラケ６の一部を、簡易包装（発泡シートで包む）して収納することも可能である。
【図面の簡単な説明】
【００１３】
【図１】本発明による御祈念セットの使用状態を示す正面図である。
【図２】三方の一部切欠正面図である。
【図３】位置決め体の平面図である。
【図４−１】厚板式位置決め体の断面図である。
【図４−２】嵩上げ式位置決め体の断面図である。
【図５】平瓶の一部切欠正面図である。
【図６】カワラケの一部切欠正面図である。
【図７】水玉の一部切欠正面図である。
【図８】盛り塩用ステックの一部切欠正面図である。
【図９−１】水収納体の正面図である。
【図９−２】塩収納体の正面図である。
【図１０】御祈念セットの包装例を示す断面図である。
【図１１】三方の収納例を示す平面図である。
【符号の説明】
【００１４】
１  三方、１０  台空部、１１  台部、１２  隅切り折敷、１３  象眼
１１ａ  前壁、１１ｂ，１１ｃ  左右壁
２  位置決め体、２Ａ  単板式位置決め体、２Ｂ  嵩上げ式位置決め体
２０  神具嵌込部、２１  右隅側手前嵌込部、２２  左隅側手前嵌込部
２３  中央嵌込部、２４，２５  奥嵌込部
３  神具類
４  平瓶、４ａ  容器本体、４ｂ  蓋体
５  水玉、５ａ  容器本体、５ｂ  蓋体
６  カワラケ、６ａ  皿部、６ｂ  脚部
７  水収納体
８  塩収納体
9  盛り塩用ステック
３０  外箱、３１  箱周壁
３４  平瓶包装箱、３５  水玉包装箱、３６  カワラケ包装箱
Ｗ  水、Ｌ  お神酒、Ｓ  塩、Ｒ  米
Ｐ  緩衝材
Ｔ  嵌合深さ
Ｈ  空間部、ｈ１  大空間部、ｈ２  小空間部
【図１】
2006109863.tif 000003
【図２】
2006109863.tif 000004
【図３】
2006109863.tif 000005
【図４−１】
2006109863.tif 000006
【図４−２】
2006109863.tif 000007
【図５】
2006109863.tif 000008
【図６】
2006109863.tif 000009
【図７】
2006109863.tif 000010
【図８】
2006109863.tif 000011
【図９−１】
2006109863.tif 000012
【図９−２】
2006109863.tif 000013
【図１０】
2006109863.tif 000014
【図１１】
2006109863.tif 000015